(57)【要約】【課題】取付ばねによって器具本体に灯具本体を取り付けた際に、灯具本体を器具本体に対して位置決めするとともに所望の姿勢で取り付けることができる照明器具を提供する。【解決手段】灯具本体３０を器具本体２０に対して位置決めする位置決め材２２５を設けた。このため、取付ばね３５によって器具本体２０に灯具本体３０を取り付けた際に、灯具本体３０が位置決め材２２５に当接して位置決めされる。これにより、灯具本体３０を器具本体２０に対して、容易に位置決めできるとともに所望の姿勢で取り付けることができる。また、位置決め材２２５を、器具本体２０を被取付部１１に取り付けるための吊具２２に一体的に設けたので、部品点数の減少を図ることができる。【選択図】図２
2014011055.tif 000002
【特許請求の範囲】
【請求項１】
被取付部に取り付けられる器具本体と、
前記器具本体に取り付けられる灯具本体と、を有し、
前記灯具本体を前記器具本体に取り付ける取付ばねと、
前記取付ばねにより前記灯具本体を前記器具本体に取り付けた際に、前記灯具本体を前記器具本体に対して位置決めする位置決め材と、を有する照明器具。
【請求項２】
請求項１に記載の照明器具において、
前記位置決め材が、前記器具本体を前記被取付部に取り付けるための吊具に一体的に設けられている照明器具。
【発明の詳細な説明】
【技術分野】
【０００１】
本発明は、取付ばねによって灯具本体を器具本体に取り付ける照明器具に関するものである。
【背景技術】
【０００２】
従来より、取付ばねによって器具本体に枠体を取り付ける照明器具が知られている（例えば、特許文献１参照）。
図６に示すように、特許文献１に記載の照明器具１００は、下方に開口する矩形箱状の器具本体１０１と、この器具本体１０１に取り外し可能に取り付けられる枠体１０２を有する。器具本体１０１は、内部にランプ（図示省略）である直管形の蛍光ランプを装着するための２対のソケット１０３が設けられている。
【０００３】
器具本体１０１の側壁１０４には、それぞれ２つずつのばね受け１０５が設けられている。ばね受け１０５は、全体Ｃ字形状をしており、開口１０６を器具本体１０１の内側に向けて取り付けられている。開口１０６の両側には、抜け止め片１０７、１０７を有する。
一方、枠体１０２の外周面１０８には、略Ｖ字状の取付ばね１０９が取り付けられている。
従って、枠体１０２を器具本体１０１に取り付ける際には、取付ばね１０９の先端を狭めて、器具本体１０１のばね受け１０５に挿入し、取付ばね１０９の拡がる力により枠体１０２をばね受け１０５に取り付ける。
【先行技術文献】
【特許文献】
【０００４】
【特許文献１】特開平８−３２１２１２号公報（第１図）
【発明の概要】
【発明が解決しようとする課題】
【０００５】
しかしながら、前述した照明器具１００のように、取付ばね１０９によって枠体１０２を器具本体１０１に取り付ける場合には、取付ばね１０９の拡がる力によって枠体１０２の姿勢が決定される。このため、枠体１０２が器具本体１０１に対して、所望の姿勢で取り付けられない場合がある。
このような問題は、取付ばねによって器具本体に灯具本体を取り付ける照明器具においても生じる。
【０００６】
本発明は、従来の問題を解決するためになされたもので、取付ばねによって器具本体に灯具本体を取り付けた際に、灯具本体を器具本体に対して位置決めするとともに所望の姿勢で取り付けることができる照明器具を提供することを目的とする。
【課題を解決するための手段】
【０００７】
本発明の照明器具は、被取付部に取り付けられる器具本体と、前記器具本体に取り付けられる灯具本体と、を有し、前記灯具本体を前記器具本体に取り付ける取付ばねと、前記取付ばねにより前記灯具本体を前記器具本体に取り付けた際に、前記灯具本体を前記器具本体に対して位置決めする位置決め材と、を有するものである。
【０００８】
また、本発明の照明器具は、前記位置決め材が、前記器具本体を前記被取付部に取り付けるための吊具に一体的に設けられているものである。
【発明の効果】
【０００９】
本発明は、灯具本体を器具本体に対して位置決めする位置決め材を設けたので、取付ばねによって器具本体に灯具本体を取り付けた際に、灯具本体が位置決め材に当接して位置決めされる。このため、灯具本体を器具本体に対して、容易に位置決めするとともに所望の姿勢で取り付けることができるという効果を有する照明器具を提供できる。
【図面の簡単な説明】
【００１０】
【図１】本発明に係る実施形態の照明器具の分解斜視図
【図２】（Ａ）は灯具本体を取付ばねにより器具本体に仮付けした状態を示す断面図であり、（Ｂ）は灯具本体を取付ばねにより器具本体に取り付けた状態を示す断面図
【図３】（Ａ）は図１中ＩＩＩ方向から見た斜視図であり、（Ｂ）は吊金具の断面図
【図４】図２（Ｂ）中ＩＶ−ＩＶ位置の断面図
【図５】（Ａ）はルーバーを有する灯具本体を取付ばねにより器具本体に仮付けした状態を示す断面図であり、（Ｂ）は灯具本体を取付ばねにより器具本体に取り付けた状態を示す断面図
【図６】従来の照明器具の分解斜視図
【発明を実施するための形態】
【００１１】
以下、本発明に係る実施形態の照明器具について、図面を用いて説明する。
図１に示すように、本発明に係る実施形態の照明器具１０は、被取付部である天井１１に設けられている取付穴１２に取り付けて、下方を照明するのに用いることができる。
照明器具１０は、下方に開口する矩形箱状の器具本体２０と、器具本体２０に取り付けられる灯具本体３０を有する。
【００１２】
図２（Ａ）および（Ｂ）にも示すように、器具本体２０の下端部には、器具本体２０を天井１１の取付穴１２に取り付けた際に、天井１１の下面に当接して下方に露出する枠部２６が設けられている。
器具本体２０の天板２１には長手方向の両端部に吊金具（吊具）２２が設けられており、天井１１の取付穴１２に設けられている取付ボルト１３に吊金具２２を取り付けることにより、器具本体２０を天井１１の取付穴１２に取り付ける。
【００１３】
器具本体２０の天板２１の上面には、電源装置２３が取り付けられており、ブロックカバー２７で覆われている。
電源装置２３は、長手方向の一端部（図１において右端部）に電源用端子台２３１を有しており、取付穴１２に配線されている電源線１４に接続される。また、電源装置２３は、長手方向他端部（図１において左端部）に調光信号用端子台２３２を有しており、取付穴１２に配線されている調光信号線１５に接続される。
【００１４】
器具本体２０の電源装置２３には、電線２８を介して器具側コネクタ２４が設けられており、灯具本体３０に設けられている灯具側コネクタ３１と接続される。
器具本体２０の長手方向両端部には落下防止ワイヤ２５が設けられており、灯具本体３０に取り付けられる。
【００１５】
図３（Ａ）および（Ｂ）に示すように、吊金具２２は、取付ボルト１３に取り付けられる上板２２１と、上板２２１の両端から下方に延びる対向した一対の側板２２２、２２２を有する。各側板２２２の下端には、器具本体２０の長手方向に折曲げられた係止板２２３を有する。
吊金具２２は、器具本体２０の天板２１に設けられている開口２１１に、下側から挿入し、器具本体２０の天板２１の下面に当接する係止板２２３をねじ止め（ねじ２２４）して取り付けられる。
【００１６】
吊金具２２において、器具本体２０の長手方向中央側（図３（Ｂ）において右側）の係止板２２３には、Ｌ字形状の位置決め材２２５が一体的に折曲げ形成されている。位置決め材２２４は、器具本体２０内部において、幅方向両端に一対設けられている。
位置決め材２２４の先端（下端）には、ストッパ部２２６が、水平方向に設けられている。
【００１７】
図２（Ａ）および（Ｂ）に示すように、灯具本体３０は、下方に開口した断面Ｃ字形状の取付板３３を有する。取付板３３の上板３３１の幅寸法は、器具本体２０の内幅寸法よりも小さく、器具本体２０内部に挿入可能となっている。
取付板３３の上板３３１の下面には、ＬＥＤユニット３２が取り付けられる。ＬＥＤユニット３２の前方（下方）には、透光性のカバー３４を有する。
【００１８】
取付板３３の上板３３１の上面には止め金具３６が取り付けられており、止め金具３６には取付ばね３５が取り付けられる。
取付ばね３５は全体Ｖ字形状をしており、左右一対のアーム部３５１、３５１を有する。アーム部３５１の先端は、外側に折曲げられて係止部３５２が形成されている。一対のアーム部３５１、３５１は、互いに離反する方向（図２（Ｂ）中矢印Ａ参照）へ付勢されている。
【００１９】
従って、灯具本体３０を器具本体２０に取り付ける際には、図２（Ａ）に示すように、灯具本体３０の取付ばね３５の先端を狭めて、器具本体２０のばね用開口２９（図４参照）に挿入する。
この状態では、取付ばね３５の係止部３５２が器具本体２０のばね用開口２９の周面に係止されて、灯具本体３０は、仮止めされる。
【００２０】
次いで、灯具本体３０を器具本体２０内部に押し上げる（図２（Ａ）中矢印Ａ参照）と、図２（Ｂ）に示すように、取付ばね３５の一対のアーム部３５１、３５１が外側に拡がる。これにより、灯具本体３０は器具本体２０の内部に取り付けられる。
このとき、灯具本体３０の上面である取付板３３の上板３３１が、器具本体２０の位置決め材２２５のストッパ部２２６に当接する。
【００２１】
これにより、幅方向の一対のストッパ部２２６、２２６が取付板３３に当接して、幅方向に水平に位置決めされる。
また、位置決め材２２５が、器具本体２０の長手方向両端部に設けられている吊金具２２に一体的に設けられているので、灯具本体３０は、長手方向にも器具本体２０に沿って水平に位置決めされる。
【００２２】
なお、灯具本体３０を器具本体２０から取り外す際には、灯具本体３０を引き下げる（図２（Ｂ）中矢印Ｂ参照）。
これにより、取付ばね３５が狭まって、灯具本体３０が引き下げられ、係止部３５２が器具本体２０に係止されて、仮止め位置に仮止めされる（図２（Ａ）参照）。
そして、取付ばね３５のアーム部３５１の先端を狭めて、係止部３５２を器具本体２０のばね用開口２９から取り出す。
【００２３】
以上、説明した本発明に係る実施形態の照明器具１０によれば、灯具本体３０を器具本体２０に対して位置決めする位置決め材２２５を設けた。このため、取付ばね３５によって灯具本体３０を取り付けた際に、灯具本体３０が位置決め材２２５に当接して位置決めされる。
これにより、灯具本体３０を器具本体２０に対して、容易に位置決めするとともに所望の姿勢で取り付けることができる。
【００２４】
また、位置決め材２２５を、器具本体２０を天井１１の取付穴１２に取り付けるための吊金具２２に一体的に設けたので、部品点数の減少を図ることができる。
【００２５】
なお、本発明の照明器具１０は、前述した実施形態に限定されるものでなく、適宜な変形、改良等が可能である。
例えば、前述した実施形態においては、ＬＥＤユニット３２の前方に透光性のカバー３４を有する場合を例示したが、本発明は、図５（Ａ）および（Ｂ）に示すように、ＬＥＤユニット３２の前方にルーバー３７を有する場合にも適用可能である。
【００２６】
また、前述した実施形態においては、位置決め材２２５を吊金具２２と一体に設けた場合を例示したが、位置決め材を吊金具２２と別個に設けることも可能である。
【符号の説明】
【００２７】
１０  照明器具
１１  天井（被取付部）
２０  器具本体
２２  吊金具（吊具）
２２５  位置決め材
３０  灯具本体
３５  取付ばね
【図１】
2014011055.tif 000003
【図２】
2014011055.tif 000004
【図３】
2014011055.tif 000005
【図４】
2014011055.tif 000006
【図５】
2014011055.tif 000007
【図６】
2014011055.tif 000008